(57)【特許請求の範囲】
【請求項１】
識別符号が付されたカード体を表面側に保持するカード台紙であって、
前記カード台紙は、前記カード体の識別符号を当該カード台紙の裏面側から読み取り可能な領域を有し、
前記カード台紙は、前記カードの全外周縁を取り囲む該カードと略同外形の凹部を有し、
前記読み取り可能な領域は前記凹部よりも小さい開口であり、
前記カード体を前記凹部に収容して前記カード台紙の表面側に保持した際に、前記カード体の識別符号と前記開口の位置が合うことを特徴とするカード台紙。
【請求項２】
前記カード台紙は、前記カード体を保持した際に、当該カード体が当該カード台紙の表面側から離れる方向への移動を規制する規制部を有することを特徴とする請求項１に記載のカード台紙。
【請求項３】
前記規制部を前記開口に対向して設けたことを特徴とする請求項２に記載のカード台紙。
【発明の詳細な説明】
【技術分野】
【０００１】
本発明は、カード体を保持するカード台紙、特にパスワードカードを保持する送付用のカード台紙に関する。
【背景技術】
【０００２】
近年、インターネットを利用した取引が活発になってきている。インターネットバンキングによる取引にはパスワードなどの確認番号が必要であり、パスワードを得るためにパスワードカードを利用することが一般的になりつつある。パスワードカードは、カード送付用台紙に剥離可能に貼着した状態で封入し、ユーザ宛に送付されている。（以下、「従来技術１」という。例えば、特許文献１参照）。また、カード送付用台紙に、送付先を管理する目的、カードが貼着すべきカード送付用台紙に貼着されているか否かを確認するすなわちマッチングする目的、カード送付用台紙を機械により封筒に封入する目的等で、カード送付用台紙に印刷されたバーコードを用いている。
【０００３】
また、個人データ入りカードに送り先情報を印字し、該送り先情報のみが現れるように、窓が設けられた台紙のポケット部に側方からカードを封入すると共に該台紙を封入する窓付封筒の窓にも現れるようにした窓付封筒封入台紙があった（以下、「従来技術２」という。例えば特許文献２参照）。
【先行技術文献】
【特許文献】
【０００４】
【特許文献１】特開２０１０−１６２６９４号公報（段落００１６、図３、図４）
【特許文献２】実願平１−１３２７３４号（実開平３−７０９７６号）のマイクロフィルム（実施例、第１図−第５図）
【発明の概要】
【発明が解決しようとする課題】
【０００５】
しかしながら、上記従来技術１にあっては、カード送付用台紙に印刷されたバーコードを用いることから、カード送付用台紙にバーコードを印刷する作業や、バーコードを印刷するための領域が必要となる問題があった。また、上記従来技術２にあっては、カードを台紙のポケット部に側方から封入するものであり、ポケット部がカードに対して大きいとカードの送り先情報と台紙の窓の位置合わせ作業が大変である、一方、ポケット部がカードにとほぼ同じ大きさであるとカードをポケット部に封入する作業や取り出す作業が大変であるという問題があった。
【０００６】
本発明は、このような問題点に着目してなされたもので、カード台紙にカード体を簡単に保持・取出することができ、かつ、カード台紙にカードを保持した状態でカード体に付された識別符号を読み取り可能なカード台紙を提供することを目的とする。
【課題を解決するための手段】
【０００７】
前記課題を解決するために、本発明のカード台紙は、
識別符号が付されたカード体を表面側に保持するカード台紙であって、
前記カード台紙は、前記カード体の識別符号を当該カード台紙の裏面側から読み取り可能な領域を有し、
前記カード台紙は、前記カードの全外周縁を取り囲む該カードと略同外形の凹部を有し、
前記読み取り可能な領域は前記凹部よりも小さい開口であり、
前記カード体を前記凹部に収容して前記カード台紙の表面側に保持した際に、前記カード体の識別符号と前記開口の位置が合うことを特徴としている。
この特徴によれば、カード台紙の裏面側からカード体の識別符号を読み取り可能な領域を設けたから、カード体をカード台紙の表面側に保持した状態で識別符号を用いてカード体を識別することができる。また、カード体をカード台紙の表面側に保持するから、ポケット部に側方から封入するものに比較して、カード台紙にカード体を簡単に保持・取出することができる。
ここで、本発明におけるカード体とは、紙の小片はもちろんのこと、液晶表示部を有するパスワードカード、セキュリティトークンなど、要するに薄く手で持てる程度の片状のものであればよく、その材質や形状は問わない。
【００１０】
本発明のカード台紙は、
前記カード台紙は、前記カード体を保持した際に、当該カード体が当該カード台紙の表面側から離れる方向への移動を規制する規制部を有することを特徴としている。
この特徴によれば、規制部を設けることにより、カード体はカード台紙に直交する方向の移動が規制されるから、カード体をカード台紙の表面側に精度良く保持できる。
【００１１】
本発明のカード台紙は、
前記規制部を前記読み取り可能な領域に対向して設けたことを特徴としている。
この特徴によれば、規制部を読み取り可能な領域に対向して設けることにより、カード体の識別符号が付された部位において、カード体はカード台紙に直交する方向の移動が規制されるから、さらに精度良く保持でき、識別符号の読み取り精度が高い。
【図面の簡単な説明】
【００１２】
【図１】実施例１におけるパスワードカードをカード送付用台紙に保持する状態を説明する斜視図である。
【図２】実施例１におけるパスワードカードを示すものであって、（ａ）は平面図、（ｂ）は底面図である。
【図３】実施例１におけるカード送付用台紙を示すものであって、（ａ）は平面図、（ｂ）はパスワードカードを保持した状態の平面図である。
【図４】実施例１におけるカード送付用台紙を示すものであって、（ａ）は底面図、（ｂ）はパスワードカードを保持した状態の底面図である。
【図５】実施例１におけるカード送付用台紙の右側面図である。
【図６】実施例１におけるカード送付用台紙の正面図である。
【図７】実施例１におけるカード送付用台紙の背面図である。
【図８】実施例１におけるカード送付用台紙の図３（ａ）におけるＡ−Ａ断面図である。
【図９】実施例１におけるカード送付用台紙の図３（ａ）におけるＢ−Ｂ断面図である。
【図１０】実施例１におけるカード送付用台紙を折り畳んだ状態の平面図である。
【図１１】実施例１におけるカード送付用台紙を折り畳んだ状態を示すものであって、（ａ）は底面図、（ｂ）はパスワードカードを保持した状態の底面図である。
【図１２】実施例１におけるカード送付用台紙の展開図である。
【図１３】実施例２におけるカード送付用台紙を示す平面図である。
【図１４】実施例３におけるカード送付用台紙を示す平面図である。
【図１５】実施例４におけるカード送付用台紙を示す平面図である。
【図１６】実施例５におけるセキュリティトークンをカード送付用台紙に保持する状態を説明する斜視図である。
【図１７】実施例５におけるカード送付用台紙を示すものであって、（ａ）はセキュリティトークンを保持した後カバー部を閉じた状態を示す斜視図、（ｂ）は（ａ）におけるＣ−Ｃ断面図である。
【発明を実施するための形態】
【００１３】
本発明に係るカード台紙を実施するための形態を実施例に基づいて以下に説明する。
【実施例１】
【００１４】
実施例１に係るカード送付用台紙につき、図１−図１２を参照して説明する。
カード送付用台紙７は、パスワードカード１を凹部１１に保持するものである。カバー部８Ａを折り目８Ｅで内側本体部８Ｄ側に折り畳んだ状態（図１０、図１１）のカード送付用台紙７と、宛先を印刷した書類と、他の書類例えばダイレクトメール等とを封入し、郵送などによりユーザに送付する。以下、パスワードカード１、カード送付用台紙７の詳細について説明する。
【００１５】
先ず、パスワードカード１について説明する。
図２において、パスワードカード１は、縦７ｃｍ、横４．５ｃｍ、厚さ０．３ｃｍの外形を有し、有色かつ不透明の本体部の表側に、操作ボタン２、操作ボタン２の操作に応じた表示を行う液晶の表示部３を有し、その裏側に、シリアル番号４Ａ及びバーコード４Ｂからなる識別符号４、ロゴマーク５、連絡先などの注意書き６が印字されている。パソコン等を利用してインターネットバンキングによる取引を行う際に、ユーザが、パスワードカード１の操作ボタン２を操作すると、表示部３にパスワードが表示される。インターネットバンキングの取引画面（パソコンの表示部の画面）にこのパスワードを入力することにより、振込み等の取引を行うことができる。このパスワードは、１回限りのもので、一定時間毎に切り替わるいわゆるワンタイムパスワードと呼ばれるもので、取引の安全性が高い。なお、識別符号４は、一般に用いられるリーダにより読み取ることが可能であり、例えば、赤外線を用いるもの、可視光を用いるもの、撮像した画像を解析するものが挙げられる。
【００１６】
次にカード送付用台紙７について説明する。
カード送付用台紙７は、厚さ１ｍｍの厚紙を用い、図１２の展開図のものを折り畳んで形成されている。具体的には、展開図は、取り扱い等の注意書きが印字されたカバー部８Ａと、開口１０が図１２の紙面手前から奥側に向かって打ち抜いて形成された外側本体部８Ｂ（図８、図９も参照。）と、開口１１Ａと係止片１２が形成された内側本体部８Ｄと、外側本体部８Ｂから連なり開口１１Ｂが形成された外側中間本体部９Ａと、内側本体部８Ｄから連なり開口１１Ｂが形成された内側中間本体部９Ｃとから構成されている。
【００１７】
図１に示すカード送付用台紙７を作成するには、折り目９Ｂに沿って、外側本体中間部９Ａを外側本体部８Ｂ側に折り畳み、両者を接着により一体化する。同様に、折り目９Ｄに沿って、内側本体中間部９Ｃを内側本体部８Ｄ側に折り畳み、両者を接着により一体化する。その後、折り目８Ｃに沿って、一体化された内側本体部８Ｄ及び内側中間本体部９Ｃを、一体化された外側本体部８Ｂ及び外側中間本体部９Ａ側に折り畳み、両者を接着により一体化する。この状態が図１に示す状態である。
【００１８】
凹部１１は、パスワードカード１の外形と略同外形であり、開口１１Ａ、開口１１Ｂ、開口１１Ｃと、外側本体部８Ｂの一面とにより形成される。開口１１Ａ、開口１１Ｂ、開口１１Ｃのそれぞれの厚さ（深さ）は１ｍｍであるから、凹部１１は３ｍｍの深さであり、その深さはパスワードカード１の厚さと比べて同等もしくは深いものである。開口１１Ｂと開口１１Ｃとは、同じ大きさでかつ、折り畳んだときに開口１１Ｂの４辺と開口１１Ｃの４辺が一致する位置に設けてある。また、開口１１Ｂ、開口１１Ｃは、凹部１１Ａよりも一回り大きくかつ、折り畳んだときに開口１１Ｂの４辺と開口１１Ｃの４辺が、開口１１Ａの直線状の４辺よりも外側となる位置に設けてある。このようにすることで、折り曲げる際に少しずれても、開口１１Ｂ、開口１１Ｃの４辺のいずれかが、開口１１Ａの４辺のいずれかよりも内側に入り込み、パスワードカード１が凹部１１に入らない又は入れにくいという事態を防止できる。
【００１９】
また、内側本体部８Ｄには、一対の円弧状の係止片１２が設けられている。係止片１２の両側には円弧に沿った切込みが設けてあり、係止片１２は内側本体部８Ｄの面に直交する方向に若干であるが弾性変形可能である。したがって、パスワードカード１を凹部１１に出し入れしやすい。また、パスワードカード１を凹部１１に入れた状態では、係止片１２は、パスワードカード１の端部を庇状に覆うから、パスワードカード１が内側本体部８Ｄの面に直交する方向に移動することを規制する規制部として機能する。
【００２０】
また、カード送付用台紙７の凹部１１にはこの凹部１１よりも小さい開口１０が設けられており、この開口１０は、凹部１１にパスワードカード１を入れたとき、パスワードカード１の裏側に設けられた識別符号４に対応する位置に設けられている。したがって、図４（ｂ）、図１１（ｂ）に示すように、カード送付用台紙７にパスワードカード１を入れた状態において、カード送付用台紙７の開口１０から、パスワードカード１の識別符号４を見ることができる。すなわち、カード送付用台紙７の裏面側から、パスワードカード１の識別符号４が読み取り可能である。なお、識別符号４には、パスワードカード１の製造番号や固体識別番号等の当該パスワードカード１に固有の情報が含まれる。
【００２１】
次いで、銀行からパスワードカード１を送付する例について説明する。
ここで、パスワードカード１は、パスワードカード１受け取ったユーザが、インターネットバンキングの画面から初期登録して使用するものである。すなわち、初期登録前には、パスワードカード１とユーザとの関係が一意に決めらいない形式のものであり、初期登録されていないパスワードカード１であればユーザはいずれのカードでも登録できる形式のものである。
【００２２】
凹部１１にパスワードカード１を保持したカード送付用台紙７と、図示しない送り先、宛名及びバーコードなどの識別符号が記載された書類と、他の書類とは、封筒に同封されてユーザに送られる。その封筒への同封作業では、送り先、宛名及びバーコードなどの識別符号が記載された書類の識別符号をリーダで読み取り、次いでカード送付用台紙７の開口１０から識別符号４をリーダで読み取り、各書類及びカード送付用台紙７を封筒に封入する。このようにして、送り先、宛名とパスワードカード１とを対応付けすることにより、パスワードカード１を送った先を管理することができる。
【００２３】
以上のように、カード送付用台紙７の裏面側からパスワードカード１の識別符号４を読み取り可能な領域として開口１０を設けたから、パスワードカード１をカード送付用台紙７の表面側に保持した状態で識別符号４を用いてパスワードカード１を識別することができる。したがって、パスワードカード１を識別するための識別符号を別途カード送付用台紙に印刷する必要はない。
また、パスワードカード１をカード送付用台紙７の表面側に保持した際に、パスワードカード１の識別符号４と開口１０の位置が合うから、識別符号４を簡単に読み取ることができる。なお、開口１０と識別符号４の位置がずれると、リーダにより識別符号４を読み取ることが困難又は読み取れない虞もある。
【００２４】
また、シート状のカード送付用台紙７に、パスワードカード１を凹部１１に保持するから、袋状のポケット部に側方から封入するものに比較し、保持する作業や取り出す作業が簡単である。
【００２５】
また、パスワードカード１と凹部１１は略同外形であるから、パスワードカード１を凹部１１に収容することにより、パスワードカード１に印字された識別符号４と、開口１０の面方向における位置決めなされることとなり、開口１０に対する識別符号４の位置決めが簡単である。
【００２６】
また、封筒に入れたときに封筒に段差が生じにくい等の理由から、カード送付用台紙７は一定の厚さのシートであることが好ましい。加えて、凹部１１にパスワードカード１を保持したときに、パスワードカード１が凹部１１から突出しないようにするとよい。すなわち、凹部１１の深さはパスワードカード１の厚さと同等以上であると、パスワードドカード１を凹部１１に保持したときに、パスワードカード１がカード送付用台紙７から突出せず、封筒に入れたときに封筒に段差が生じにくく、また外力によりパスワードカード１の表面角部が損傷する虞が少ない等から好ましい。また、同等とすると、パスワードカード１とカード送付用台紙７とにより一定の厚さのシートとなり、封筒に封入したときに外力が作用して、封筒の凹部１１に対応する部位が窪むこともなく、かつ、パスワードカード１の表面端部に接触が容易でありパスワードカード１を取り出しやすいことから好ましい。
【００２７】
また、開口１１は、表面側から打ち抜きにより形成されたから、表面側にはバリは生じず、パスワードカード１をカード送付用台紙１の凹部１０に精度良く保持できる。
【００２８】
また、係止片１２を設けることにより、パスワードカード１はカード送付用台紙７の面に直交する方向の移動が規制されるから、パスワードカード１をカード送付用台紙７の表面側に精度良く保持できる。
【００２９】
また、一方の係止片１２を開口１０に対向して設けることにより、パスワードカード１の識別符号４が付された部位において、パスワードカード１はカード送付用台紙７に直交する方向の移動が規制されるから、さらに精度良く保持でき、識別符号の読み取り精度が高い。
【００３０】
また、一対の係止片１２，１２を設ける開口１１Ａにおける位置として、折り目８Ｅに近い側に設けるよりも、折り目８Ｅから遠い側に設けるとより好適である。カバー部８Ａを折り畳んだ状態では、カバー部８Ａは折り目８Ｅから遠いほど、カバー部８Ａはその復元力により、カバー部８Ａと内側本体部８Ｄとの距離が離れる傾向にあり、折り目８Ｅから遠い側では係止片１２によりパスワードカード１２をカード送付用台紙７に直行する方向の移動が規制されるとともに、折り目８Ｅに近い側では、カバー部８Ａにより係止片１２を、カード送付用台紙７に直行する方向の移動が規制されるからである。
【実施例２】
【００３１】
次に、実施例２に係るカード送付用台紙につき、図１３を参照して説明する。実施例２は、凹部１１を設ける位置をカード送付用台紙７の図１３中左寄りとし、図１３中右寄りの位置に注意書き１３ｂを追加し、パスワードカード１を図１３において縦置きに保持し、開口１０を設ける位置を変更したものである。その他の構成は、実施例１と同様であるのでその説明を省略する。
【００３２】
実施例２に係るカード送付用台紙７においては、パスワードカード１を縦置きに保持するから、凹部１１の図１３における右側に広いスペースができる。また、凹部１１を図１３における左寄りに設けたから、裏面側の開口１０から識別符号４を読み取る際に、右側の広い部分を把持して作業できるから、把持が容易である。
【実施例３】
【００３３】
次に、実施例３に係るカード送付用台紙につき、図１４を参照して説明する。実施例３は、パスワードカード１を保持する手段を、実施例１、２における凹部１１に代えて、一対の切り込み１６とし、本体部を内側本体部８Ｄのみとした、すなわち台紙をカバー部８Ａと内側本体部８Ｄのみから形成したものである。その他の構成は、実施例１と同様であるのでその説明を省略する。
【００３４】
実施例３に係るカード送付用台紙は、台紙をカバー部８Ａ及び内側本体部８Ｄに構成したので、台紙が薄く軽量化できる。
また、一方の切り込み１６が開口１０の端から延びている。したがって、切り込み１６は内側本体部８Ｄの面に直交する方向に大きく変形するから、パスワードカード１を一対の切り込み１６に挿入する作業が容易である。
また、識別符号４が設けられる位置に対応して一方の切り込み１６を設けたから、パスワードカード１を切り込み１６に保持させたときに、パスワードカード１は、裏面の識別符号４の領域において、内側本体部８Ｄの面と密着し、パスワードカード１をカード送付用台紙１の凹部１０に精度良く保持でき、識別符号４を精度良く読み取ることが可能となる。
【実施例４】
【００３５】
次に、実施例４に係るカード送付用台紙につき、図１５を参照して説明する。実施例４は、パスワードカード１を保持する手段を、実施例１、２における凹部１１に代えて、一対の切り込み１７とし、その切り込み１７をカバー部８Ａに設け、その台紙は、本体部を内側本体部８Ｄのみとしたものである。その他の構成は、実施例１と同様であるのでその説明を省略する。
【００３６】
実施例４に係るカード送付用台紙は、台紙をカバー部８Ａ及び内側本体部８Ｄに構成したので、台紙が薄く軽量化できる。
また、一対の切り込み１７をカバー部８Ａに設けたから、パスワードカード１をカード送付台紙７に保持した際に、カバー部材８Ａが折り畳まれていない状態（図１５の状態）であっても、カバー部材８Ａが折り畳まれた状態のいずれの状態においても識別符号４を読み取ることができる。
【実施例５】
【００３７】
次に、実施例５に係るカード送付用台紙につき、図１６、図１７を参照して説明する。実施例５は、実施例１におけるパスワードカード１を略前方後円墳形状のトークン１Ｒ（セキュリティトークン）に代え、さらに、凹部１１には係止片１２，１２が設けられず凹部１１Ｒがトークン１Ｒの外形よりも僅かに大きい略前方後円墳形であり、凹部１１Ｒよりも小さい開口１０Ｒを設ける位置をトークンの略矩形部分の裏面に印刷されたバーコード（図示しない）の位置に合わせて右寄りに変更している。また、カバー部８Ａをシール２０により外側本体部８Ｂに仮止めしている。その他の構成は、実施例１と同様であるのでその説明を省略する。
【００３８】
ここで、トークン１Ｒは縦５ｃｍ、横２ｃｍ（略円形部分の直径１．２ｃｍ、略矩形部分の長辺３．２ｃｍ、略矩形部分の短辺２．０ｃｍ）、厚さ０．５ｃｍの外形であり、凹部１１Ｒは、幅５．１ｃｍ、横２．５ｃｍ、深さ０．５ｃｍである。このような外形及び凹部１１Ｒには係止片１２，１２が設けられていないから、トークン１Ｒを簡単に挿入することができる。なお、凹部１１Ｒの形状をトークン１Ｒの外形に合わせて略前方後円墳形状としたから、凹部１１Ｒ内でトークン１Ｒががたつかない。また、凹部１１Ｒを実施例１のように矩形とすると凹部の形成が簡単である。なお、トークン１Ｒの外形は略矩形のものであってもよい。
【００３９】
トークン１Ｒを凹部１１Ｒに挿入した後、カバー部８Ａを外側本体部８Ｄに接するまで折り畳み、その状態でカバー部８Ａの外面と内側本体部８Ｂの外面にかけて粘着性のシール２０を貼り、カバー部８Ａを内側本体部８Ｂに仮着する。このとき、図１７（ｂ）に示すように、トークン１Ｒは、カバー部８Ａの内側面と開口１０Ｒが設けられた外側本体部８Ｂの内側面とにより上下方向に挟まれる。このように、カバー部８Ａにより蓋をしてシール２０で仮着することで、カバー部８Ａがトークン１Ｒの押さえ片として機能する。これより、封入封緘などでコンベア上を流れてもトークン１Ｒがカード送付台紙１から脱落せず、開口１０Ｒからバーコードを読むことができる。
【００４０】
以上、本発明の実施例を図面により説明してきたが、具体的な構成はこれら実施例に限られるものではなく、本発明の要旨を逸脱しない範囲における変更や追加があっても本発明に含まれる。
【００４１】
例えば、前記実施例では、カード台紙として、カード送付用台紙、すなわち、送付用のカード台紙について説明したが、送付用に限らずカードを保持するカード台紙に適用することができる。
【００４２】
また、カード体として、パスワードカード、トークンを例に説明したが、パスワード用に限らずカード体の種類は問わない。
【００４３】
また、識別符号として、シリアル番号とバーコードとを併用するものについて説明したが、いずれか一方のみでもよく、また、符号の形態としては番号やバーコード以外の形態であってもよい。
【００４４】
また、カード送付用台紙を１枚の厚紙から作成する例について説明したが、折り曲げ部の部位で分離し、複数枚の厚紙から作成してもよい。
【００４５】
また、厚さ４ｍｍ程度の厚紙や樹脂成形品により折り曲げることなく、かつ接着することなくカード送付用台紙を作成することも可能である。また、その厚さも４ｍｍ程度よりも薄いものであっても厚いものであってもよい。
【００４６】
また、カードを保持させる手段として、凹部、一対の切り込みについて説明したが、その他の手段例えば粘着テープによる手段であってもよい。
【００４７】
また、カバー部８Ａは必須ではないが、カバー部８Ａを設け折り畳むことにより、カードが両面から挟まれるから、外力に対してカードが保護される。また、実施例１−実施例４においても、実施例５で説明したシール２０による仮着を追加してもよい。
【００４８】
また、実施例１において、一対の係止片１２，１２を設ける例について説明したが、カードの移動を規制する機能を果たすためには、１つの係止片であっても良い。なお、開口１１における対向する２つの辺の内、一方の辺のみに係止片を設けることが、カードの挿入性の観点から好ましい。
【００４９】
また、カードは、初期登録前からユーザとの関係が一意に決められてはいないものについて説明したが、カードにユーザ名等が印字乃至エンボス加工されているものであってもよい。この場合には、例えば、カード台紙にカードを保持した後に、カード台紙の裏面側からカードの識別符号を読み取り、また宛先及び識別符号が印字された書類の識別符号を読み取り、両識別符号のマッチングをするような形態で利用できる。
【００５０】
また、カード台紙の裏面側から読み取り可能な領域として、開口１０を例に説明したが、必ずしも開口である必要はない。例えば、実施例１において、外側本体部８Ｂを厚紙に代えて樹脂シートにより形成し、少なくとも識別符号４と対向する部位を透光性を有するものとしても良い。
【符号の説明】
【００５１】
１                パスワードカード（カード体）
１Ｒ              トークン（カード体）
４                識別符号
７                カード送付用台紙（カード台紙）
１０              開口（読み取り可能な領域）
１１、１１Ｒ      凹部
１２              係止片（規制部）
１６              スリット（規制部）
【図１】
0006336845.tif 000002
【図２】
0006336845.tif 000003
【図３】
0006336845.tif 000004
【図４】
0006336845.tif 000005
【図５】
0006336845.tif 000006
【図６】
0006336845.tif 000007
【図７】
0006336845.tif 000008
【図８】
0006336845.tif 000009
【図９】
0006336845.tif 000010
【図１０】
0006336845.tif 000011
【図１１】
0006336845.tif 000012
【図１２】
0006336845.tif 000013
【図１３】
0006336845.tif 000014
【図１４】
0006336845.tif 000015
【図１５】
0006336845.tif 000016
【図１６】
0006336845.tif 000017
【図１７】
0006336845.tif 000018